(57)【特許請求の範囲】
【請求項１】
熱変色性のインキにより描かれた像または筆跡を摩擦熱を与えて変色させるための電動式の摩擦具であって、
回転軸を回転させるモータと、
前記回転軸の先端に取り付けられた摩擦体と、
前記モータを支持するケースと、
前記摩擦体の周囲を取り囲み、前記ケースに弾性体を介して一端側が支持された筒形状のカバーと、
を備え、
前記ケースには、前記カバーの一端側の領域の少なくとも一部を取り囲む筒形状のスリーブ部が設けられており、
前記スリーブ部の軸方向の少なくとも一部において、当該スリーブ部の内周面の周方向の少なくとも一部に当接部が形成されており、
前記カバーには、一端側から前記スリーブ部の前記当接部に対して当接された被当接部が設けられており、
前記当接部と前記被当接部との間には、前記弾性体による付勢力が作用しており、
前記モータの回転トルクは、０．１０Ｎ・ｃｍ乃至０．９０Ｎ・ｃｍの範囲から選択されており、
前記摩擦体のＪＩＳ  Ｋ６２５３におけるショアＡ硬度は、５５度以上であり、
前記弾性体による付勢力に対抗して前記ケースに対して前記カバーを押し込むために必要な荷重は、０．１Ｎ乃至５．０Ｎの範囲から選択されており、
前記カバーの他端は、前記摩擦体の先端と揃えられているか、または、５．０ｍｍ以下の範囲から選択された一定の設定距離だけ当該先端から延出している
ことを特徴とする電動式の摩擦具。
【請求項２】
前記カバーの前記被当接部は、前記スリーブ部の内周面に摺動可能に嵌め入れられたフランジ部として形成されており、当該カバーの軸方向に１．０ｍｍ以上の長さを有している
ことを特徴とする請求項１に記載の電動式の摩擦具。
【請求項３】
前記ケース内には、押圧時にのみ前記モータへ電力を供給するスイッチが設けられており、
前記カバーには、当該カバーが前記ケースに対して押し込まれることに伴って前記スイッチを押圧する押圧部が設けられている
ことを特徴とする請求項１または２に記載の電動式の摩擦具。
【請求項４】
熱変色性のインキにより描かれた像または筆跡を摩擦熱を与えて変色させるための電動式の摩擦具であって、
回転軸を回転させるモータと、
前記回転軸の先端に取り付けられた摩擦体と、
前記モータを支持するケースと、
前記摩擦体の周囲を取り囲み、前記ケースに一端側が支持された筒形状のカバーと、
を備え、
前記モータの回転トルクは、０．１０Ｎ・ｃｍ乃至０．９０Ｎ・ｃｍの範囲から選択されており、
前記摩擦体の先端は、前記カバーの他端より一定の設定距離だけ延出しており、
前記一定の設定距離は、０．５ｍｍ乃至１０．０ｍｍの範囲から選択されており、
前記カバーの他端における当該カバーの内周面と前記摩擦体の外周面との間の最大隙間は、０．０３ｍｍ乃至１．０ｍｍの範囲から選択されている
ことを特徴とする電動式の摩擦具。
【請求項５】
前記カバーの他端の縁部は、切頭円錐の側面形状の斜面として形成されており、
前記摩擦体の先端領域の少なくとも一部は、切頭円錐の側面形状の斜面として形成されており、
前記摩擦体の回転軸を通る断面において前記摩擦体の前記斜面が成す角度αと、当該断面において前記カバーの前記斜面が成す角度βとが、α≧β＞３０°という関係を満たしている
ことを特徴とする請求項４に記載の電動式の摩擦具。
【発明の詳細な説明】
【技術分野】
【０００１】
本発明は、熱変色性のインキにより描かれた像または筆跡を摩擦熱を与えて変色させるための電動式の摩擦具に関する。
【背景技術】
【０００２】
従来より、熱変色性のインキとして、一定以上（例えば６５℃以上）の温度に加熱されると無色透明になるものが知られている。そのような熱変色性のインキにより描かれた筆跡は、例えば、引用文献１（特開２０１３−１１６５８８号公報）に記載された摩擦具によって摩擦すると、その際に生じる摩擦熱によって一定以上の温度に加熱されるため、無色透明となる。
【０００３】
しかしながら、引用文献１に記載された摩擦具を使用して熱変色性のインキにより描かれた筆跡を無色透明にする場合、当該摩擦具を把持して小刻みな摩擦動作を手動で繰り返す必要があるため、使用者にとって負担である。
【０００４】
このような問題を解決するために、モータの回転軸の先端に摩擦体を取り付け、当該モータを回転させることで当該摩擦体を回転させ、回転中の摩擦体によって熱変色性のインキにより描かれた筆跡を摩擦して当該熱変色性のインキを一定以上の温度とすることで無色透明にする電動式の摩擦具が知られている。このような電動式の摩擦具の例が、引用文献２（特開２０１１−４２１５１号公報）に記載されている。
【０００５】
電動式の摩擦具は、小刻みな摩擦動作を手動で繰り返す必要がないため便利であるものの、回転中の摩擦体が誤って皮膚に接触し得るので、痛みを感じさせたり、火傷を生じさせる虞もある。また、摩擦体の回転に毛髪が巻き込まれてしまう危険もある。更に、毛髪ではない紐状の異物が巻き込まれてしまうと、使用者に危険は生じないが、摩擦具自体が破損する虞がある。
【先行技術文献】
【特許文献】
【０００６】
【特許文献１】特開２０１３−１１６５８８号公報
【特許文献２】特開２０１１−４２１５１号公報
【発明の概要】
【発明が解決しようとする課題】
【０００７】
摩擦体の周囲を筒形のカバーで取り囲み、且つ、モータの回転トルクを調整することにより、以上のような問題を回避することができる。そして、電動式の摩擦具の摩擦体は摩耗しないため、カバーの一端をバネを介して電動式の摩擦具のケースに支持させた場合、摩擦体のＪＩＳ  Ｋ６２５３におけるショアＡ硬度及びバネによる付勢力に対抗してケースに対してカバーを押し込むために必要な荷重により決定される使い心地（特には、必要とされる押しつけ力）は、使用期間が長くなっても変わらない。
【０００８】
本発明は、このような事情に基づいて行われたものであり、電動式の摩擦具の摩擦体の周囲を取り囲むカバーをバネを介して電動式の摩擦具のケースに支持させると共に、摩擦体のショアＡ硬度、カバーを押し込むために必要な荷重、及び、前記摩擦体の先端より前記カバーの他端を延出させておく距離、の三者のバランスに着目することによって、前述の問題を回避すると共に使い心地の良い電動式の摩擦具を提供することを課題とする。
【０００９】
また、本発明は、摩擦体の先端をカバーの他端より延出させておく距離と、カバーの他端における当該カバーの内周面と摩擦体の外周面との間の隙間の最大距離と、の二者のバランスに着目することによって、前述の問題を回避する電動式の摩擦具を提供することを課題とする。
【課題を解決するための手段】
【００１０】
本発明は、熱変色性のインキにより描かれた像または筆跡を摩擦熱を与えて変色させるための電動式の摩擦具であって、回転軸を回転させるモータと、前記回転軸の先端に取り付けられた摩擦体と、前記モータを支持するケースと、前記摩擦体の周囲を取り囲み、前記ケースに弾性体を介して一端側が支持された筒形状のカバーと、を備え、前記ケースには、前記カバーの一端側の領域の少なくとも一部を取り囲む筒形状のスリーブ部が設けられており、前記スリーブ部の軸方向の少なくとも一部において、当該スリーブ部の内周面の周方向の少なくとも一部に当接部が形成されており、前記カバーには、一端側から前記スリーブ部の前記当接部に対して当接された被当接部が設けられており、前記当接部と前記被当接部との間には、前記弾性体による付勢力が作用しており、前記モータの回転トルクは、０．１０Ｎ・ｃｍ乃至０．９０Ｎ・ｃｍの範囲から選択されており、前記摩擦体のＪＩＳ  Ｋ６２５３におけるショアＡ硬度は、５５度以上であり、前記弾性体による付勢力に対抗して前記ケースに対して前記カバーを押し込むために必要な荷重は、０．１Ｎ乃至５．０Ｎの範囲から選択されており、前記カバーの他端は、前記摩擦体の先端と揃えられているか、または、５．０ｍｍ以下の範囲から選択された一定の設定距離だけ当該先端から延出していることを特徴とする電動式の摩擦具である。
【００１１】
本発明によれば、摩擦体の周囲をカバーで取り囲み、且つ、モータの回転トルクを調整することにより、毛髪や紐状の異物等の巻き込みを回避できると共に、前記摩擦体のショアＡ硬度、前記カバーを押し込むために必要な荷重、及び、前記摩擦体の先端より前記カバーの他端を延出させておく距離、の三者のバランスを前記の各範囲内に調整することにより、使用期間が長くなっても使い心地の良さを維持できる電動式の摩擦具を提供することができる。
【００１２】
また、好ましくは、前記カバーの前記被当接部は、前記スリーブ部の内周面に摺動可能に嵌め入れられたフランジ部として形成されており、当該カバーの軸方向に１．０ｍｍ以上の長さを有している。この場合、スリーブ部の内周面とフランジ部の外周面とが摺動しつつ当該スリーブ部内をカバーが移動するため、当該カバーは、軸方向に傾斜することなく安定的に移動することができる。
【００１３】
また、好ましくは、前記ケース内には、押圧時にのみ前記モータへ電力を供給するスイッチが設けられており、前記カバーには、当該カバーが前記ケースに対して押し込まれることに伴って前記スイッチを押圧する押圧部が設けられている。この場合、カバーがケースに対して押し込まれない限りモータが駆動されないため、無駄なモータの駆動を防止でき、電池の消耗を最小限に抑えることができる。
【００１４】
あるいは、本発明は、熱変色性のインキにより描かれた像または筆跡を摩擦熱を与えて変色させるための電動式の摩擦具であって、回転軸を回転させるモータと、前記回転軸の先端に取り付けられた摩擦体と、前記モータを支持するケースと、前記摩擦体の周囲を取り囲み、前記ケースに一端側が支持された筒形状のカバーと、を備え、前記モータの回転トルクは、０．１０Ｎ・ｃｍ乃至０．９０Ｎ・ｃｍの範囲から選択されており、前記摩擦体の先端は、前記カバーの他端より一定の設定距離だけ延出しており、前記一定の設定距離は、０．５ｍｍ乃至１０．０ｍｍの範囲から選択されており、前記カバーの他端における当該カバーの内周面と前記摩擦体の外周面との間の最大隙間は、０．０３ｍｍ乃至１．０ｍｍの範囲から選択されていることを特徴とする電動式の摩擦具である。
【００１５】
本発明によれば、モータの回転トルクを前記の範囲内に調整することにより、回転中の摩擦体が誤って皮膚に接触した際に火傷等を生じさせる虞を回避できると共に、摩擦体の先端をカバーの他端より延出させておく距離と、カバーの他端における当該カバーの内周面と摩擦体の外周面との間の隙間の最大距離と、の二者のバランスを前記の各範囲内に調整することにより、毛髪や紐状の異物等の巻き込みを回避できる電動式の摩擦具を提供することができる。
【００１６】
この場合、前記カバーの他端の縁部は、切頭円錐の側面形状の斜面として形成されており、前記摩擦体の先端領域の少なくとも一部は、切頭円錐の側面形状の斜面として形成されており、前記摩擦体の回転軸を通る断面において前記摩擦体の前記斜面が成す角度αと、当該断面において前記カバーの前記斜面が成す角度βとが、α≧β＞３０°という関係を満たしていることが好ましい。この場合、毛髪や紐状の異物等が摩擦体の先端領域に接しても、当該斜面の存在により、当該毛髪や紐状の異物等がスムーズにカバーの外側へと移動される。
【発明の効果】
【００１７】
本発明によれば、電動式の摩擦具の摩擦体の周囲をカバーで取り囲み、且つ、モータの回転トルクを前記の範囲内に調整することにより、回転中の摩擦体が誤って皮膚に接触した際に火傷等を生じさせる虞や、毛髪や紐状の異物等の巻き込みを回避できると共に、摩擦体のショアＡ硬度、カバーのを押し込むために必要な荷重、及び、前記摩擦体の先端より前記カバーの他端を延出させておく距離、の三者のバランスを前記の各範囲内に調整することにより、使用期間が長くなっても使い心地の良さを維持できる摩擦具を提供することができる。
【００１８】
あるいは、本発明によれば、モータの回転トルクを前記の範囲内に調整することにより、回転中の摩擦体が誤って皮膚に接触した際に火傷等を生じさせる虞を回避できると共に、摩擦体の先端をカバーの他端より延出させておく距離と、カバーの他端における当該カバーの内周面と摩擦体の外周面との間の隙間の最大距離と、の二者のバランスを前記の各範囲内に調整することにより、毛髪や紐状の異物等の巻き込みを回避できる電動式の摩擦具を提供することができる。
【図面の簡単な説明】
【００１９】
【図１】本発明の第１の実施の形態の電動式の摩擦具の概略図である。図１（Ａ）は、電動式の摩擦具の概略縦断面図であり、図１（Ｂ）は、図１（Ａ）の左方から見た電動式の摩擦具の概略正面図である。
【図２】図１の電動式の摩擦具の摩擦体の概略図である。図２（Ａ）は、摩擦体の概略正面図であり、図２（Ｂ）は、図２（Ａ）の右方から見た摩擦体の概略側面図であり、図２（Ｃ）は、図２（Ｂ）の右方から見た摩擦体の概略背面図であり、図２（Ｄ）は、図２（Ｂ）のＤ−Ｄ線断面図である。
【図３】図１の電動式の摩擦具のカバーの概略図である。図３（Ａ）は、カバーの概略正面図であり、図３（Ｂ）は、図３（Ａ）の右方から見たカバーの概略側面図であり、図３（Ｃ）は、図３（Ｂ）の右方から見たカバーの概略背面図である。
【図４】本発明の第２の実施の形態の電動式の摩擦具の概略縦断面図である。
【図５】図４の電動式の摩擦具のカバーの概略図である。図５（Ａ）は、カバーの概略正面図であり、図５（Ｂ）は、図５（Ａ）の右方から見たカバーの概略側面図であり、図５（Ｃ）は、図５（Ｂ）の右方から見たカバーの概略背面図である。
【図６】本発明の第３の実施の形態の電動式の摩擦具の概略縦断面図である。
【図７】図６の電動式の摩擦具の摩擦体及びカバーの近傍の概略拡大図である。
【図８】図６の電動式の摩擦具の摩擦体の概略図である。図８（Ａ）は、摩擦体の概略正面図であり、図８（Ｂ）は、図８（Ａ）の右方から見た摩擦体の概略側面図であり、図８（Ｃ）は、図８（Ｂ）の右方から見た摩擦体の概略背面図である。
【図９】図６の電動式の摩擦具のカバーの概略図である。図９（Ａ）は、カバーの概略正面図であり、図９（Ｂ）は、図９（Ａ）の右方から見たカバーの概略側面図であり、図９（Ｃ）は、図９（Ｂ）の右方から見たカバーの概略背面図である。
【発明を実施するための形態】
【００２０】
以下に、添付の図面を参照して本発明の実施の形態を詳細に説明する。
【００２１】
図１は、本発明の第１の実施の形態の電動式の摩擦具１００の概略図である。図１（Ａ）は、電動式の摩擦具１００の概略縦断面図であり、図１（Ｂ）は、図１（Ａ）の左方から見た電動式の摩擦具１００の概略正面図である。
【００２２】
図１（Ａ）に示すように、電動式の摩擦具１００は、回転軸１１を回転させるモータ１０と、回転軸１１の先端に取り付けられた摩擦体２０と、モータ１０を支持するケース３０と、摩擦体２０の周囲を取り囲み、ケース３０に弾性体としてのバネ５０を介して一端側（図１（Ａ）における右側）が支持された筒形状のカバー４０と、を備えている。
【００２３】
本実施の形態では、図１（Ａ）に示すように、ケース３０内の他端側（図１（Ａ）における左側）にモータ１０が収容されて支持されている。また、ケース３０内の一端側には、電池７０が収容されている。電池７０は、スイッチ６０を介して配置された導体６１によってモータ１０に接続されており、当該スイッチ６０の操作に応じて、モータ１０に電力を供給するようになっている。本実施の形態では、スイッチ６０は、ケース３０に対して押圧することによりモータ１０への電力供給を許容（導通）し、再度押圧することによりモータ１０への電力供給を遮断するようになっている。
【００２４】
本実施の形態のモータ１０は、回転トルクが０．３５Ｎ・ｃｍである。モータ１０の回転トルクは、好ましくは０．１０Ｎ・ｃｍ乃至０．９０Ｎ・ｃｍである。回転トルクを０．１０Ｎ・ｃｍ以上とすることで、摩擦体２０の先端領域が紙面上の熱変色性のインキにより描かれた筆跡に押し当てられた際、モータ１０は、摩擦体２０の先端領域と紙面との間に生じる摩擦力に打ち克って当該摩擦体２０の回転を継続させることができる。一方、回転トルクを０．９０Ｎ・ｃｍ以下とすることで、回転中の摩擦体２０が誤って皮膚に接触しても、火傷等を生じさせる危険が回避される。
【００２５】
より好ましくは、モータ１０の回転トルクは、０．１５Ｎ・ｃｍ乃至０．７０Ｎ・ｃｍである。回転トルクを０．１５Ｎ・ｃｍ以上とすることで、摩擦体２０の先端領域がより強く紙面に押し当てられても、モータ１０は、摩擦体２０の先端領域と紙面との間に生じる摩擦力に打ち克って当該摩擦体２０の回転を継続させることができる。この場合、摩擦体２０の先端領域が紙面に押し当てられてから摩擦熱が発生するまでに必要な時間が十分短く、熱変色性インキにより描かれた筆跡を快適に無色透明とすることができる。一方、回転トルクを０．７０Ｎ・ｃｍ以下とすることで、回転中の摩擦体２０の先端領域を紙面に押し当てて摩擦した際に、紙面が損傷したりしわが発生したりすることが防止され得る。
【００２６】
また、ケース３０の他端側には、カバー４０の一端側の領域の一部を取り囲む、長さが１７ｍｍ、内径が１４ｍｍ、外径が１７ｍｍの筒形状のスリーブ部３１が設けられている。スリーブ部３１を除くケース３０の長さは、９０ｍｍである。また、図１（Ｂ）に示すように、本実施の形態のケース３０は、直径３０ｍｍの円形断面を有している。
【００２７】
図２は、図１の電動式の摩擦具１００の摩擦体２０の概略図である。図２（Ａ）は、摩擦体２０の概略正面図であり、図２（Ｂ）は、図２（Ａ）の右方から見た摩擦体２０の概略側面図であり、図２（Ｃ）は、図２（Ｂ）の右方から見た摩擦体２０の概略背面図であり、図２（Ｄ）は、図２（Ｂ）のＤ−Ｄ線断面図である。
【００２８】
モータ１０の回転軸１１の先端に取り付けられた摩擦体２０は、図２に示すように、長さが１８ｍｍ、直径が６ｍｍ、ショアＡ硬度が８８度の円柱状の弾性材料から構成され、他端側が半球状に面取りされている。摩擦体２０のショアＡ硬度は、５５度以上が好ましい。この場合、回転中の摩擦体２０の先端領域を紙面に押し当てて摩擦した際の当該先端領域の摩耗が防止されると共に、摩擦時の摩擦体２０の変形によって当該摩擦体２０とカバー４０の内周面とが接触することが、防止される。
【００２９】
また、摩擦体２０の外周面には、図２（Ｂ）及び図２（Ｄ）に示すように、回転軸の方向に沿って縞状の模様が設けられている。すなわち、本実施の形態の摩擦体２０は、図２（Ｂ）及び図２（Ｄ）に示すように、先端領域を構成する材料とは異なる色彩の材料によって、摩擦体２０の側面に縞状の模様が形成されている。例えば、摩擦体２０の先端領域を構成する材料は黄色であり、縞状の模様を提供する材料は赤色である。このような配色により、摩擦体２０の側面は、回転時においては、当該２色の中間色であるオレンジ色に見える。更に、本実施の形態において縞状の模様を提供している材料は、摩擦体２０の先端領域を構成している材料よりも高い硬度を有し、摩擦体２０の断面において図２（Ｄ）に示すような領域に広がっている。
【００３０】
また、図２（Ｃ）に示すように、摩擦体２０の一端側の面（背面）の中央に直径が２  ｍｍ、深さが１０ｍｍの穴２１が設けられており、当該穴２１にモータ１０の回転軸１１が圧入されるようになっている。穴２１の他端側は、図２（Ｄ）に示すように、摩擦体２０の先端領域を構成する材料よりも高い硬度を有する縞状の模様を提供する材料の領域に形成されている。
【００３１】
摩擦体２０を構成する弾性材料としては、弾性を有する樹脂（ゴム、エラストマ）が挙げられる。その一例としては、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。
【００３２】
本実施の形態では、摩擦体２０は、カバー４０によって周囲を取り囲まれている。そのようなカバー４０の一例が、図３に示されている。図３は、図１の電動式の摩擦具１００のカバー４０の概略図である。図３（Ａ）は、カバー４０の概略正面図であり、図３（Ｂ）は、図３（Ａ）の右方から見たカバー４０の概略側面図であり、図３（Ｃ）は、図３（Ｂ）の右方から見たカバー４０の概略背面図である。
【００３３】
図３に示すように、カバー４０は、長さが１８ｍｍ、内径が７ｍｍ、外径が８．５ｍｍの円筒形状であり、他端側に外径が１３．５ｍｍ、長さが５ｍｍのフランジ部４１が被当接部として設けられている。本実施の形態のカバー４０は、透明樹脂製であり、外部からカバー４０内の摩擦体２０の少なくとも先端領域が視認可能となっている。
【００３４】
図１（Ａ）に戻って、カバー４０のフランジ部４１は、ケース３０のスリーブ部３１の内周面に摺動可能に嵌め入れられており、ケース３０にバネ５０を介して支持されている。本実施の形態では、バネ５０はコイルバネであり、当該バネ５０が支持しているカバー４０を押し込むために必要な荷重が１．０Ｎであるように調整されている。
【００３５】
カバー４０を押し込むために必要な荷重は、０．１Ｎ乃至５．０Ｎであることが好ましい。カバー４０を押し込むために必要な荷重が０．１Ｎ以上であることにより、カバー４０の不所望の移動が防止され、また、カバー４０をケース３０に対して押し込む際のバネ５０による抵抗力の特性が安定する。一方、カバー４０を押し込むために必要な荷重が５．０Ｎ以下であることにより、カバー４０がケース３０に対してスムーズに押し込まれ得るため、使用者の疲労が抑制されて快適に使用され得ると共に、カバー４０の先端による紙面への負荷が小さく、当該先端によって紙面を傷つけ難い。
【００３６】
また、スリーブ部３１の他端側には、当接部としての絞り部３２が設けられており、カバー４０のフランジ部４１の他端側が、一端側から絞り部３２に対して当接されている。この時、バネ５０は自然長から圧縮されている。すなわち、フランジ部４１の他端側と絞り部３２との間には、バネ５０による付勢力が作用している。この状態において、カバー４０の他端は、図１（Ａ）に示すように、摩擦体２０の先端より一定の設定距離ｄだけ延出しており、本実施の形態では、当該一定の設定距離ｄは、０．５ｍｍである。
【００３７】
次に、本実施の形態の電動式の摩擦具１００の作用について説明する。
【００３８】
まず、必要に応じ、ケース３０に設けられている電池蓋が取り外され、ケース３０内に所定の向きで電池７０が装填されて、再び電池蓋が取り付けられる。次に、スイッチ６０が押圧されることによりモータ１０が駆動し、回転軸１１に取り付けられた摩擦体２０が高速回転される。この状態で、ケース３０が把持されて、紙面上の熱変色性のインキにより描かれた筆跡に摩擦体２０の先端領域が押し当てられる。本実施の形態では、摩擦体２０の先端領域よりも先にカバー４０の他端が紙面に当接するが、ケース３０が紙面に対して更に押し当てるられることにより、バネ５０が更に圧縮されてカバー４０がケース３０の側に対して押し込まれて、摩擦体２０の先端領域が紙面に当接する。なお、この時、フランジ部４１の外周面がスリーブ部３１の内周面を摺動するため、カバー４０は軸方向に傾斜することなく安定的に移動する。そして、摩擦体２０の先端領域が紙面に当接した状態が維持されることで、摩擦体２０のモータ１０による回転のために、摩擦体２０の先端領域と紙面との間で摩擦熱が発生する。この摩擦熱によって、熱変色性のインキにより描かれた像または筆跡は、無色透明になる。本実施の形態では、摩擦体２０はカバー４０によって取り囲まれているため、外部への熱放射が抑制されて、効率良く熱変色性のインキを加熱することができる。
【００３９】
所望の摩擦動作が完了した後、ケース３０が紙面から遠ざけられて、摩擦体２０の先端領域が紙面に当接した状態が解除される。これにより、カバー４０は、バネ５０の付勢力によって、フランジ部４１の他端側がケース３０の絞り部３２に当接するまで他端側に移動する。その後、再度スイッチ６０が押圧されることによりモータ１０が停止する。
【００４０】
以上のような本実施の形態によれば、摩擦体２０の周囲をカバー４０で取り囲み、且つ、モータ１０の回転トルクを前記の範囲内に調整することにより、回転中の摩擦体２０が誤って皮膚に接触した際に火傷等を生じさせる虞や、毛髪や紐状の異物等の巻き込みを回避できると共に、摩擦体２０のショアＡ硬度、カバー４０を押し込むために必要な荷重、及び、摩擦体２０の先端よりカバー４０の他端を延出させておく距離、の三者のバランスを前記の各範囲内に調整することにより、使用期間が長くなっても使い心地の良さを維持できる電動式の摩擦具１００を提供することができる。
【００４１】
また、本実施の形態によれば、カバー４０のフランジ部４１の他端側が、一端側からスリーブ部３１の絞り部３２に対して当接されると共に、フランジ部４１の他端側と絞り部３２との間にバネ５０による付勢力が作用しているため、バネ５０に予め付勢力が与えられていない場合と比較して、カバー４０をケース３０に対して押し込む際のバネ５０の抵抗力の特性が安定している。このため、より一層使い心地の良い電動式の摩擦具１００を提供することができる。
【００４２】
更に、本実施の形態では、カバー４０のフランジ部４１が５．０ｍｍの長さを有しているため、フランジ部４１の外周面がスリーブ部３１の内周面を摺動しつつ移動する。このため、カバー４０は、軸方向に傾斜することなく安定的に移動することができる。
【００４３】
次に、図４は、本発明の第２の実施の形態の電動式の摩擦具２００の概略縦断面図である。また、図５は、図４の電動式の摩擦具２００のカバー２４０の概略図である。図５（Ａ）は、カバー２４０の概略正面図であり、図５（Ｂ）は、図５（Ａ）の右方から見たカバー２４０の概略側面図であり、図５（Ｃ）は、図５（Ｂ）の右方から見たカバー２４０の概略背面図である。
【００４４】
図４に示すように、本実施の形態の電動式の摩擦具２００は、第１の実施の形態の電動式の摩擦具１００と同様に、回転軸２１１を回転させるモータ２１０と、回転軸２１１の先端に取り付けられた摩擦体２２０と、モータ２１０を支持するケース２３０と、摩擦体２２０の周囲を取り囲み、ケース２３０に弾性体としてのバネ２５０を介して一端側（図４における右側）が支持された筒形状のカバー２４０と、を備えている。
【００４５】
本実施の形態の電動式の摩擦具２００のカバー２４０には、図５（Ｂ）及び図５（Ｃ）に示すように、円環状の背面の径方向内側の縁部に、長さ１０ｍｍ、幅４ｍｍ、厚さ１．５ｍｍの角柱状の押圧部２４２が、一体に形成されている。
【００４６】
図４に戻って、押圧部２４２の一端側には、電池２７０の一方の電極に接続された導体２８１が固定されており、カバー２４０がケース２３０に対して押し込まれることに伴って、押圧部２４２が導体２８１と共に一端側へ移動するようになっている。また、モータ２１０の一方の端子に接続された導体２８２が、回転軸２１１に対して平行に他端側（図４における左側）に向かって延びた後、先端が回転軸２１１の側に折り曲げられている。そして、カバー２４０がケース２３０に対して押し込まれていない状態においては、導体２８１と導体２８２とは接触していないが、カバー２４０がケース２３０に対して０．５ｍｍ以上押し込まれた状態においては、導体２８１が導体２８２の先端に押圧状態で（撓ませた状態で）接触するようになっている。すなわち、導体２８１及び導体２８２は、電動式の摩擦具２００のサブスイッチ２８０を構成している。
【００４７】
更に、本実施の形態では、第１の実施の形態の電動式の摩擦具１００と同様に、ケース２３０の側面にもスイッチ２６０が設けられている（図４参照）。その他の構成は、第１の実施の形態と略同様である。
【００４８】
次に、本実施の形態の電動式の摩擦具２００の作用について説明する。
【００４９】
第１の実施の形態の電動式の摩擦具１００と同様に、必要に応じ、ケース２３０に設けられている電池蓋が取り外され、ケース２３０内に所定の向きで電池２７０が装填されて、再び電池蓋が取り付けられる。次に、スイッチ２６０が押圧される。この時、第１の実施の形態の電動式の摩擦具１００とは異なり、サブスイッチ２８０を構成する導体２８１と導体２８２の先端とが接触していないため、電力はモータ２１０へ供給されず、モータ２１０は停止したままである。
【００５０】
次に、ケース２３０が把持されて、紙面上の熱変色性のインキにより描かれた筆跡に摩擦体２２０の先端領域が押し当てられる。本実施の形態でも、第１の実施の形態の電動式の摩擦具１００と同様に、摩擦体２２０の先端領域よりも先にカバー２４０の他端が紙面に当接するが、ケース２３０が紙面に対して更に押し当てられることにより、バネ２５０が更に圧縮されてカバー２４０がケース２３０の側に対して押し込まれる。なお、この時、フランジ部２４１の外周面がスリーブ部２３１の内周面を摺動するため、カバー２４０は軸方向に傾斜することなく安定的に移動する。そして、摩擦体２２０の先端領域が紙面に当接すると共に、導体２８１がカバー２４０の押圧部２４２と共に移動することにより、導体２８２の先端に接触する。これにより、電力がモータ２１０に供給されて当該モータ２１０が駆動され、回転軸２１１に取り付けられた摩擦体２２０が回転する。そして、摩擦体２２０の先端領域が紙面に当接した状態が維持されることで、摩擦体２２０のモータ２１０による回転のために、摩擦体２２０の先端領域と紙面との間で摩擦熱が発生する。この摩擦熱によって、熱変色性のインキにより描かれた筆跡は、無色透明になる。
【００５１】
所望の摩擦動作が完了した後、ケース２３０が紙面から遠ざけられて、摩擦体２２０の先端領域が紙面に当接した状態が解除される。これにより、カバー２４０は、バネ２５０の付勢力によって、フランジ部２４１の他端側がケース２３０の絞り部２３２に当接するまで他端側に移動する。この時、導体２８１と導体２８２の先端との接触が解除されてモータ２１０の駆動が停止し、すなわち、摩擦体２２０の回転が停止する。
【００５２】
以上のような本実施の形態によっても、摩擦体２２０の周囲をカバー２４０で取り囲み、且つ、モータの回転トルクを前記の範囲内に調整することにより、回転中の摩擦体が誤って皮膚に接触した際に火傷等を生じさせる虞や、毛髪や紐状の異物等の巻き込みを回避できると共に、摩擦体２２０のショアＡ硬度、カバー２４０を押し込むために必要な荷重、及び、摩擦体２２０の先端よりカバー２４０の他端を延出させておく距離、の三者のバランスを調整することにより、使用期間が長くなっても使い心地の良さを維持できる電動式の摩擦具２００を提供することができる。
【００５３】
また、本実施の形態によれば、カバー２４０のフランジ部２４１の他端側が、一端側からスリーブ部２３１の絞り部２３２に対して当接されると共に、フランジ部２４１の他端側と絞り部２３２との間にバネ２５０による付勢力が作用しているため、バネ５０に予め付勢力が与えられていない場合と比較して、カバー２４０をケース２３０に対して押し込む際のバネ２５０の抵抗力の特性が安定している。このため、より一層使い心地の良い電動式の摩擦具２００を提供することができる。
【００５４】
更に、本実施の形態では、カバー２４０のフランジ部２４１が５．０ｍｍの長さを有しているため、フランジ部２４１の外周面がスリーブ部２３１の内周面を摺動しつつ移動する。このため、カバー２４０は、軸方向に傾斜することなく安定的に移動することができる。
【００５５】
また、本実施の形態の電動式の摩擦具２００は、サブスイッチ２８０の存在により、カバー２４０が押し込まれない限りモータ２１０が駆動されないため、無駄なモータ２１０の駆動を防止でき、電池２７０の消耗を最小限に抑えることができる。
【００５６】
次に、図６は、本発明の第３の実施の形態の電動式の摩擦具３００の概略縦断面図である。また、図７は、図６の電動式の摩擦具３００の摩擦体３２０及びカバー３４０の近傍の概略拡大図であり、図８は、図６の電動式の摩擦具３００の摩擦体３２０の概略図であり、図８（Ａ）は、摩擦体３２０の概略正面図であり、図８（Ｂ）は、図８（Ａ）の右方から見た摩擦体３２０の概略側面図であり、図８（Ｃ）は、図８（Ｂ）の右方から見た摩擦体３２０の概略背面図であり、図９は、図６の電動式の摩擦具３００のカバー３４０の概略図であり、図９（Ａ）は、カバー３４０の概略正面図であり、図９（Ｂ）は、図９（Ａ）の右方から見たカバー３４０の概略側面図であり、図９（Ｃ）は、図９（Ｂ）の右方から見たカバー３４０の概略背面図である。
【００５７】
図６に示すように、本実施の形態の電動式の摩擦具３００は、第１及び第２の実施の形態の電動式の摩擦具１００、２００と同様に、回転軸３１１を回転させるモータ３１０と、回転軸３１１の先端に取り付けられた摩擦体３２０と、モータ３１０を支持するケース３３０と、摩擦体３２０の周囲を取り囲み、ケース３３０に弾性体としてのバネ３５０を介して一端側（図６における右側）が支持された筒形状のカバー３４０と、を備えている。
【００５８】
本実施の形態の電動式の摩擦具３００は、図７に示すように、摩擦体３２０の先端が、カバー３４０の他端より一定の設定距離ｈだけ延出している。本実施の形態では、当該一定の設定距離ｈは、２．５ｍｍである。
【００５９】
また、カバー３４０の他端における当該カバー３４０の内周面と摩擦体３２０の外周面との間の最大隙間ｔは、０．０３ｍｍ乃至１．０ｍｍの範囲から選択されている。本実施の形態では、最大隙間ｔは、０．３ｍｍである。最大隙間ｔが０．０３ｍｍよりも狭い場合、部品の加工時や組み立て時のバラつきによっては、電動式の摩擦具３００の使用時に摩擦体３２０がカバー３４０の内周面に接触してしまう虞がある。一方、最大隙間ｔが１．０ｍｍよりも広い場合、毛髪や紐状の異物等を巻き込みやすくなってしまう。
【００６０】
使用時に摩擦体３２０を紙面に押し当てた際のモータ３１０の回転軸３１１の撓み及び摩擦体３２０の熱膨張を考慮すると、最大隙間ｔは、０．０５ｍｍ以上であることが好ましく、また、摩擦体３２０が皮膚等に接触した際に体毛（一般的には、０．０５ｍｍ乃至０．１５ｍｍ程度の太さを有している）と絡み難くさせるため、最大隙間ｔは、０．５ｍｍ以下であることが好ましい。
【００６１】
また、図８に示すように、本実施の形態の摩擦体３２０は、長さが２０ｍｍ、直径が６ｍｍ、ショアＡ硬度が８８度の円柱状の弾性材料から構成されており、先端領域の一部が、切頭円錐の側面形状の斜面を形成するように面取りされている。
【００６２】
更に、図９に示すように、本実施の形態のカバー３４０の他端の縁部も、切頭円錐の側面形状の斜面として形成されている。本実施の形態では、摩擦体３２０の回転軸を通る断面において当該摩擦体３２０の斜面が成す角度α（図７において２つの直線ｌ１、ｌ２が成す角度）と、当該断面においてカバー３４０の斜面が成す角度β（図７において２つの直線ｍ１、ｍ２が成す角度）とが、α≧β＞３０°という関係を満たしている。
【００６３】
その他の構成は、第１の実施の形態の電動式の摩擦具１００と略同様である。
【００６４】
次に、本実施の形態の電動式の摩擦具３００の作用について説明する。
【００６５】
第１及び第２の実施の形態の電動式の摩擦具１００、２００と同様に、必要に応じ、ケース３３０に設けられている電池蓋が取り外され、ケース３３０内に所定の向きで電池３７０が装填されて、再び電池蓋が取り付けられる。次に、スイッチ３６０が押圧されることによりモータ３１０が駆動し、回転軸３１１に取り付けられた摩擦体３２０が高速回転される。この状態で、ケース３３０が把持されて、紙面上の熱変色性のインキにより描かれた筆跡に摩擦体３２０の先端領域が押し当てられる。そして、摩擦体３２０の先端領域が紙面に当接した状態が維持されることで、摩擦体３２０のモータ３１０による回転のために、摩擦体３２０の先端領域と紙面との間で摩擦熱が発生する。この摩擦熱によって、熱変色性のインキにより描かれた筆跡は、無色透明になる。
【００６６】
本実施の形態の電動式の摩擦具３００は、摩擦体３２０の先端がカバー３４０の他端より２．５ｍｍ延出していることにより、摩擦体３２０の回転軸が紙面に対して垂直に押し当てられる場合のみならず、紙面に対してわずかな鋭角に押し当てられる場合でも、摩擦体３２０によって熱変色性のインキにより描かれた像または筆跡を摩擦することができる。また、カバー３４０の他端が紙面に押し当てられる場合には、バネ３５０が更に圧縮されて、カバー３４０がケース３３０の側に対して押し込まれる。
【００６７】
所望の摩擦動作が完了した後には、ケース３３０が紙面から遠ざけられて、摩擦体３２０の先端領域が紙面に当接した状態が解除される。その後、再度スイッチ３６０が押圧されることによりモータ３１０が停止する。
【００６８】
以上のような本実施の形態によれば、モータの回転トルクを前記の範囲内に調整することにより、回転中の摩擦体が誤って皮膚に接触した際に火傷等を生じさせる虞を回避できると共に、摩擦体３２０の先端をカバー３４０の他端より延出させておく距離と、カバー３４０の他端における当該カバー３４０の内周面と摩擦体３２０の外周面との間の隙間の最大距離ｔと、の二者のバランスを前記の各範囲内に調整することにより、毛髪や紐状の異物等の巻き込みを回避できる電動式の摩擦具３００を提供することができる。
【００６９】
また、摩擦体３２０の回転軸を通る断面において当該摩擦体３２０の斜面が成す角度αと、当該断面においてカバー３４０の斜面が成す角度βとが、α≧β＞３０°という関係を満たしている。このため、毛髪や紐状の異物等が摩擦体３２０の先端領域に接しても、当該斜面の存在により、毛髪や紐状の異物等がスムーズにカバー３４０の外側へと移動される。
【００７０】
なお、前述のいずれの実施の形態においても、摩擦体２０、２２０、３２０は、モータ１０、２１０、３１０の回転軸１１、２１１、３１１に対してアタッチメント（中間部材）を介して取り付けられていてもよい。
【００７１】
また、本実施の形態では、摩擦体２０、２２０、３２０の外周面に赤色と黄色の縞状の模様を設けて、当該摩擦体２０、２２０、３２０が回転していることを容易に把握できるようにしているが、例えば、赤色と白色（回転時にピンク色を呈する）、赤色と青色（回転時に紫色を呈する）等、他の色の組合せでもよい。更に、摩擦体の先端領域に水玉模様を設けたり、「停止中」等の文字を印刷しておくことによって、摩擦体２０、２２０、３２０が回転しているか否かを把握できるようにしておいてもよい。これにより、電動式の摩擦具１００、２００、３００の不使用時に、摩擦体２０、２２０、３２０が回転していないことを容易に確認することができ、より安全性を高めることができる。
【符号の説明】
【００７２】
１０  モータ
１１  回転軸
２０  摩擦体
２１  穴
３０  ケース
３１  スリーブ部
３２  絞り部
４０  カバー
４１  フランジ部
５０  バネ
６０  スイッチ
６１  導体
７０  電池
１００  第１の実施の形態の電動式の摩擦具
２００  第２の実施の形態の電動式の摩擦具
２１０  モータ
２１１  回転軸
２２０  摩擦体
２３０  ケース
２３１  スリーブ部
２３２  絞り部
２４０  カバー
２４１  フランジ部
２４２  押圧部
２５０  バネ
２６０  スイッチ
２７０  電池
２８０  サブスイッチ
２８１  導体
２８２  導体
３００  第３の実施の形態の電動式の摩擦具
３１０  モータ
３１１  回転軸
３２０  摩擦体
３２１  穴
３３０  ケース
３３１  スリーブ部
３３２  絞り部
３４０  カバー
３４１  フランジ部
３５０  バネ
３６０  スイッチ
３７０  電池
ｄ  一定の設定距離（摩擦体の先端よりカバーの他端を延出させておく距離）
ｈ  一定の設定距離（摩擦体の先端をカバーの他端より延出させておく距離）
ｔ  最大隙間
α  摩擦体の回転軸を通る断面において当該摩擦体の斜面が成す角度
β  摩擦体の回転軸を通る断面においてカバーの斜面が成す角度
【図１】
0006358929.tif 000002
【図２】
0006358929.tif 000003
【図３】
0006358929.tif 000004
【図４】
0006358929.tif 000005
【図５】
0006358929.tif 000006
【図６】
0006358929.tif 000007
【図７】
0006358929.tif 000008
【図８】
0006358929.tif 000009
【図９】
0006358929.tif 000010